(57)【特許請求の範囲】
【請求項１】
以下の式
【化１】
0006005159.tif 000011
の化合物を、その立体異性体のいずれか１つ又はその混合物の形で付香成分として用いる使用。
【請求項２】
前記化合物が、７０％〜１００％の間のシス立体異性体及び３０％〜０％の間のトランス立体異性体を含むシス及びトランス立体異性体の混合物の形であることを特徴とする、請求項１に記載の使用。
【請求項３】
前記化合物がシス−４−ジメトキシメチル−１，３−ジメチル−１−シクロヘキセンであることを特徴とする、請求項１又は２に記載の使用。
【請求項４】
付香組成物であって、
ｉ）請求項１から３までのいずれか１項に規定された、少なくとも１種の式（Ｉ）の化合物
ｉｉ）香料担体及び香料ベースからなる群から選択される少なくとも１種の成分及び
ｉｉｉ）任意に少なくとも１種の香料補助剤
を含む、前記付香組成物。
【請求項５】
付香消費者製品であって、
ｉ）請求項１から３までのいずれか１項に規定された、少なくとも１種の式（Ｉ）の化合物及び
ｉｉ）香料消費者ベース
を含む、付香消費者製品。
【請求項６】
香料消費者ベースが香料、布地ケア製品、ボディケア製品、エアケア製品又は家庭用ケア製品であることを特徴とする、請求項５に記載の付香消費者製品。
【請求項７】
香料消費者ベースが、香水、コロン、アフターシェーブローション、液体又は固体洗剤、布地用柔軟剤、布用消臭剤、アイロン水、紙、漂白剤、シャンプー、カラーリング配合物、ヘアスプレー、バニシングクリーム、デオドラント又は制汗剤、着香石鹸、シャワー又はバスムース、オイル又はジェル、衛生製品、エアフレッシュナー、「すぐに使用できる」粉末状エアフレッシュナー、ワイプ、食器用洗剤又は硬質表面用洗剤であることを特徴とする、請求項５に記載の付香消費者製品。
【発明の詳細な説明】
【技術分野】
【０００１】
技術分野
本発明は香料分野に関する。更に詳細には、本発明は、４−ジメトキシメチル−１，３−ジメチル−１−シクロヘキセンの付香成分としての使用に関する。更に、本願明細書に記載されることによれば、本発明は、本発明の化合物を、付香組成物の一部又は付香消費者製品の一部として含む。
【０００２】
従来技術
式（Ｉ）の化合物は、それ自体が刊行物で知られており、例えば、US TSCA Chemical Substance Inventoryに記載されているが、その使用は記載されていない。しかしながら、前記文献は、式（Ｉ）の化合物の感覚刺激性、又は前記化合物の香料分野での使用について全く報告又は示唆していない。
【０００３】
本発明者らの知る限りでは、香料の内容で報告された最も近い類似体は４−ジエトキシメチル−１，３−ジメチル−１−シクロヘキセンであり、これは（Inter. J. of Cosmetic. Sci. 1987, 9, 203において）トリプラールアルデヒド（２，４−ジメチル−シクロヘキサ−３−エンカルバルデヒド）とエタノールを含有する幾つかの香料の分解生成物であると記載されている。当業者が知っているように、この化合物については香気なしと記載されているが、副生物の老化として観察されている事実は、確かに類似体を香料の分野で使用するための動機又は示唆にはならない。前記先行技術文献は、式（Ｉ）の化合物の感覚刺激性、又は前記化合物の香料分野での使用を全く報告又は示唆していない。
【０００４】
発明の詳細な説明
本発明者らはここで驚くことに、以下の式
【化１】
0006005159.tif 000002
の化合物を、その立体異性体のいずれか１つ又はそれらの混合物の形で、例えば、グレープフルーツ及びフローラル調の香気ノートを付与するための付香成分として使用できることを発見した。
【０００５】
明確にするために、「その立体異性体のいずれか１つ」との表現、又は類似表現は、当業者によって理解される通常の意味を意味する、即ち、本発明の化合物は純粋なエナンチオマー（キラルの場合）又はジアステレオマーであってよい（例えば、環置換基はシス又はトランスの配座である）。
【０００６】
本発明の化合物の具体例としては、非限定的例として、シス−４−ジメトキシメチル−１，３−ジメチル−１−シクロヘキセンが挙げられ、これはフローラル／ボタン属のノートと関連するピンクグレープフルーツ調の甘いシトラスノートを特徴とする。本化合物のシトラスノートは、天然のジューシーなピンクグレープフルーツの香気を強く想起させるが、市販の一般的なグレープフルーツノートに特有の刺激性の硫黄ノートがないので特に興味深い。本発明の化合物に特有の、天然のグレープフルーツのジューシーな／甘いノート、並びにボタン属の態様は、該化合物を、これが添加される付香組成物に快いジューシーな化粧品のグレープフルーツの態様を付与するのに特に適したものにする。
【０００７】
本発明の特定の実施態様によれば、前記化合物の使用は、８−メルカプト−３−ｐ−メンタノン、シス−２−メチル−４−プロピル−１，３−オキサチアン、６，６−ジメトキシ−２，５，５−トリメチル−２−ヘキセン、１−ｐ−メンテン−８−チオールなどの他のグレープフルーツの臭気物質と混合される時に更に一層顕著である。
【０００８】
異性体トランス−４−ジメトキシメチル−１，３−ジメチル−１−シクロヘキセンはシスの１つに類似した香気を有するが、それ自体はテルペン態様を有するものとは区別される。
【０００９】
本発明の特定の実施態様によれば、前記本発明の化合物は、約７０％〜約１００％の間のシス立体異性体及び約３０％〜約０％の間のトランス立体異性体を含むシス及びトランス立体異性体の混合物の形である。
【００１０】
本発明の特定の実施形態によれば、前記本発明の化合物は、シス−４−ジメトキシメチル−１，３−ジメチル−１−シクロヘキセンである。
【００１１】
以下の本願明細書の表１は、対応するジエチルアセタールの香気と比較した本発明の化合物の香気を報告する。
【表１】
0006005159.tif 000003
【００１２】
その香気が従来技術で全く開示されていない、本発明の化合物の香気を、従来技術のジエチルアセタールと比較した時に、本発明の化合物は、甘いシトラスでフローラルのノート、はっきりと強く且つ天然の香気を連想することによって、並びに従来技術の化合物に特有のミントの酸っぱいノートがないことによって区別される。前述の違いは、本発明の化合物を、従来技術のジエチルアセタールとは反対に香料産業での使用にとって快楽的に適したものにする。
【００１３】
上記の通り、本発明は、式（Ｉ）の化合物を芳香成分として用いる使用に関する。換言すれば、本発明は、付香組成物の又は付香された物品の香気特性を付与、強化、改善又は変更するための方法であって、前記組成物又は物品に有効量の少なくとも１種の式（Ｉ）の化合物を添加することを含む、前記方法に関する。「式（Ｉ）の化合物の使用」とは、本願明細書では、香料産業において有利に使用され得る化合物（Ｉ）を含有する任意の組成物の使用であるとも理解されるべきである。
【００１４】
実際に香料成分として有利に利用され得る前記組成物も本発明の対象である。
【００１５】
従って、本発明の別の対象は、
ｉ）付香成分として、上で定義された少なくとも１種の本発明の化合物
ｉｉ）香料担体及び香料ベースからなる群から選択される少なくとも１種の成分及び
ｉｉｉ）任意に少なくとも１種の香料補助剤
を含む付香組成物である。
【００１６】
「香料担体」とは、本願明細書では、香料の観点から実質的に中性である、即ち、付香成分の感覚刺激性を顕著に変更しない材料を意味する。前記担体は、液体又は固体であってよい。
【００１７】
液体担体としては、非限定的例として、乳化系、即ち、溶剤及び界面活性剤系、又は香料において一般的に使用される溶媒が挙げられる。香料において一般的に使用される溶剤の性質及び種類の詳細な説明は網羅できない。しかしながら、非限定的例としては、例えば、ジプロピレングリコール、フタル酸ジエチル、ミリスチン酸イソプロピル、安息香酸ベンジル、２−（２−エトキシエトキシ）−１−エタノール又はクエン酸エチルが挙げられ、これらは最も一般的に使用されている。香料担体及び香料ベースの両方を含む組成物の場合、上記のもの以外の他の適した香料担体は、エタノール、水／エタノール混合物、リモネン又は他のテルペン、イソパラフィン、例えば、アイソパー（Isopar）（登録商標）の商標で知られたもの（製造元：エクソン化学）又はグリコールエーテル及びグリコールエーテルエステル、例えば、ダワノール（Dowanol）（登録商標）（製造元：ダウケミカルカンパニー）の商標で知られたものであってもよい。
【００１８】
固体担体としては、非限定的例として、吸着ガム又はポリマー、又は更にカプセル化材料が挙げられる。かかる材料の例は、壁形成材料及び可塑化材料、例えば、単糖類、二糖類又は三糖類、天然又は化工デンプン、親水コロイド、セルロース誘導体、ポリビニルアセテート、ポリビニルアルコール、タンパク質又はペクチン、又は参考文献、例えば、H. Scherz, Hydrokolloids : Stabilisatoren, Dickungs- und Gehermittel in Lebensmittel, Band 2 der Schriftenreihe Lebensmittelchemie, Lebensmittelqualitaet, Behr's VerlagGmbH & Co., Hamburg, 1996で引用された材料を含んでよい。カプセル化は、当業者に周知のプロセスであり、例えば、噴霧乾燥、凝集又は更に押出などの技術を用いて実施され得るか；又はコアセルベーション及び複合コアセルベーション技術などのコーティングカプセル化から構成される。
【００１９】
「香料ベース」とは、本願明細書では少なくとも１種の香料共成分を含む組成物を意味する。
【００２０】
前記付香共成分は式（Ｉ）のものではない。更に、「付香共成分」とは、本願明細書では快楽効果を付与する付香調製物又は組成物中で使用される、化合物を意味する。換言すれば、付香するものであると見なされるかかる共成分は、組成物の香気を積極的な又は快適な方法で付与又は変更することが可能であり、且つ単に香気を有するものではないと当業者によって認識されなければならない。
【００２１】
ベースに存在する付香共成分の性質及び種類は、ここでは更に詳細な説明を保証せず、いずれの場合にも網羅されないが、当業者であれば、彼らの一般的な知識に基づいて且つ意図する使用又は用途及び所望の感覚刺激効果に従ってそれらを選択することが可能である。一般的に、これらの付香共成分は、アルコール、ラクトン、アルデヒド、ケトン、エステル、エーテル、アセテート、ニトリル、テルペノイド、窒素含有又は硫黄複素環式化合物及び精油などの様々な化学的クラスに属し、前記付香共成分は天然又は合成起源であってよい。これらの共成分の多くは、いずれの場合も、参照文献、例えば、S. Arctanderによる書籍、Perfume and Flavor Chemicals, 1969, Montclair, New Jersey, USA、又はその更に最新版、又は他の類似の性質の論文、並びに香料分野の豊富な特許文献に列記されている。前記共成分はまた、多様な種類の付香化合物を制御された方法で放出することで知られた化合物であることも理解されている。
【００２２】
「香料アジュバント」は、ここでは、例えば、色、特に耐光性、化学的安定性等の付加的に追加される利益を付与することが可能な成分を意味する。付香ベースで通常使用されている補助剤の性質及び種類の詳細な説明は網羅できないが、前記成分が当業者によく知られていることは言及されるべきである。
【００２３】
式（Ｉ）の少なくとも１種の化合物及び少なくとも１種の香料担体からなる本発明の組成物は、本発明の特定の実施形態並びに式（Ｉ）の少なくとも１種の化合物、少なくとも１種の香料担体、少なくとも１種の香料ベース、任意に少なくとも１種の香料補助剤を含む付香組成物を表す。
【００２４】
上記組成物中に、２種以上の式（Ｉ）の化合物を有する可能性は、これによって調香師が、本発明の様々な化合物の香調を有し、従って調香師の仕事のための新たな道具を作り出す調和物（accord）、香料を調製できるので重要であると述べることは有用である。
【００２５】
明確にするために、本発明の化合物が出発、中間又は最終生成物として含まれる、化学合成から直接得られる任意の混合物、例えば、適切に精製されていない反応媒体は、前記混合物が香料にとって適した形で本発明の化合物を提供しない限り本発明による付香組成物とは見なされない。従って、特に断りのない限り、未精製の反応混合物は、一般に、本発明から除外される。
【００２６】
更に、本発明の化合物は、前記化合物（Ｉ）が添加される消費者製品の香りを積極的に付与又は変更するために、現代香料、即ち、香水又は機能的香料の全分野でも有利に使用され得る。結果的に、
ｉ）芳香成分として、上で定義された、少なくとも１種の式（Ｉ）の化合物及び
ｉｉ）香料消費者ベース
を含む付香消費者製品も本発明の対象である。
【００２７】
本発明の化合物は、そのままで又は本発明の付香組成物の一部として添加され得る。
【００２８】
明確にするために、「付香消費者製品」とは、少なくとも付香効果を送達することが予想される消費者製品を意味しており、換言すれば、着香した消費者製品であることが言及されるべきである。明確にするために、「香料消費者ベース」とは、本願明細書では、機能性配合物だけでなく、場合により追加の有益剤（benefit agent）をも意味しており、これは付香成分と適合性であり且つ心地良い香りを適用面（例えば、皮膚、毛髪、テキスタイル、又は家庭面）に送達することが予想される消費者製品に相当する。換言すれば、本発明による付香消費者製品は、機能性配合物だけでなく、場合により追加の利益剤を含み、これは所望の消費者製品、例えば、洗剤又はエアフレッシュナー、及び感覚刺激的に有効量の少なくとも１種の本発明の化合物に相当する。
【００２９】
香料消費者ベースの構成成分の性質及び種類は、本願明細書では更に詳細な説明を保証せず、いずれの場合も網羅されないが、当業者であれば、一般的な知識に基づいて及び前記製品の性質及び所望の効果に従ってそれらを選択することができる。
【００３０】
好適な香料消費者ベースの非限定的例は、香料、例えば、香水、コロン又はアフターシェーブローション；布地ケア製品、例えば、液体又は固体洗剤、布地用柔軟剤、布用消臭剤、アイロン水、紙、又は漂白剤；ボディケア製品、例えば、ヘアケア製品（例えば、シャンプー、カラーリング配合物又はヘアスプレー）、化粧品（例えば、バニシングクリーム又はデオドラント又は制汗剤）、又はスキンケア製品（例えば、着香石鹸、シャワー又はバスムース、オイル又はジェル、又は衛生製品）；エアケア製品、例えば、エアフレッシュナー又は「すぐに使用できる」粉末状エアフレッシュナー、又は家庭用ケア製品、例えば、ワイプ、食器用洗剤又は硬質表面用洗剤であってよい。
【００３１】
上記の消費者製品ベースの幾つかは、本発明の化合物に対する攻撃媒体を表すので、該化合物を、例えば、カプセル化によって又は酵素、光、熱又はｐＨの変化などの適切な外部刺激時に本発明の成分を放出するのに適した別の化学物質に化学結合させることによって、早期分解から保護する必要があり得る。
【００３２】
本発明による化合物を、種々の前述の物品又は組成物中に組み込むことができる割合は、広範囲の値で変化する。これらの値は、付香されるべき物品の性質及び所望の感覚刺激効果に依存するだけでなく、本発明による化合物が当該技術分野で通常使用される付香共成分、溶媒又は添加剤と混合される時の所与のベース中の共成分の性質にも依存する。
【００３３】
例えば、付香組成物の場合、本発明の化合物の典型的な濃度は、それらが組み込まれる組成物の質量を基準として、０．０１質量％〜３０質量％、又は更にそれ以上のオーダーである。これよりも低い濃度、例えば、０．００１質量％〜１５質量％のオーダーの濃度は、これらの化合物が着香物品中に組み込まれる時に使用することができ、パーセンテージは物品の質量を基準とする。
【００３４】
本発明の化合物は、実施例に記載される方法に従って、例えば、対応するアルデヒドのアセタール化によって調製できる。
【００３５】
実施例
本発明は、ここで以下の実施例によって更に詳細に記載され、その際、略語は当該技術分野における通常の意味を有し、温度は摂氏度（℃）で示され；ＮＭＲスペクトルデータは、１Ｈ及び１３Ｃについて３６０ＭＨｚ又は４００ＭＨｚの機械で（特段、記載されない限り）ＣＤＣｌ３で記録され、化学シフトδは標準としてのＴＭＳに対してｐｐｍで示され、結合定数ＪはＨｚで表される。
【００３６】
実施例１
式（Ｉ）の化合物の合成
・４−ジメトキシメチル−１，３−ジメチル−１−シクロヘキセンの立体異性体の調製
シス−４−ジメトキシメチル−１，３−ジメチル−１−シクロヘキセン
アンバーリストＡ１５（１．４６ｇ）を１リットルの４つ口丸底フラスコに入れた。無水メタノール（３２．４０ｇ、１．００モル）を添加した後、２，４−ジメチル−３−シクロヘキセン−１−カルボキシアルデヒド（１４０．００ｇ、１．００モル、８４／１６のシス／トランス異性体の形で）を添加した。混合物を室温で撹拌し、トリエチルオルトホルメート（１１８．００ｇ、１．１０モル）を１時間かけて導入した。発熱反応が起こって、温度が２３℃から３４℃まで上昇した。反応物を１．５時間かけて室温まで冷却させた。アンバーリストＡ１５を濾過し、溶媒を真空（４０℃／１０ミリバール）下で除去した。次に、粗生成物（１８４．００グラム、ＧＣによる純度９８．２％；９７．７％粗収量）を、１５ｃｍのビグリューカラムを通して蒸留した。純粋な画分をプールすると、所望のアセタールが得られた（１７５．３９ｇ、収率＝９４．８％、１４．８％トランス／８５．２％シス異性体の混合物）。
Ｂｐ＝８５℃／９．３ミリバール。
0006005159.tif 000004
【００３７】
トランス−４−ジメトキシメチル−１，３−ジメチル−１−シクロヘキセン
１）２，４−ジメチル−３−シクロヘキセン−１−カルボキシアルデヒド（１８８．７５ｇ、１．３７モル、８４／１６シス／トランス）を、室温で無水メタノール（２００．２ｇ）中に溶解した。固体のナトリウムメトキシド（７．４５ｇ、０．１３８モル）を少しずつ加えた。反応温度は２３℃から３９℃まで上昇した。混合物を２時間にわたり加熱還流（６５℃）すると、安定した異性体比（８１．１％トランス／１８．９％シス）が得られた。室温まで冷却した後、氷酢酸（８．３３ｇ、０．１３９モル）を滴加した。メタノールを真空下で除去し、残留物をｔｅｒｔ−ブチルメチルエーテル（３００ｍｌ）で希釈し、これを水（１００ｍｌ）、１０％の水性Ｋ２ＣＯ３（５０ｍｌ）、及び水（５０ｍｌ）で洗浄した。有機相をＮａ２ＳＯ４で乾燥し、濾過し、溶媒を真空下で除去した。粗生成物（１９８．２７ｇ）を、１５ｃｍのビクリューカラムを通して蒸留すると、所望のエピマー化混合物が得られた（１６８．５ｇ、収率８９．５％、８１．１％トランス／１８．９％シス）。
0006005159.tif 000005
２）０．２３ｇのアンバーリストＡ１５、３．３７ｇ（１０５ミリモル）、無水メタノール、１３．８６ｇ（１００ミリモル）のトランス−２，４−ジメチル−３−シクロヘキセン−１−カルボキシアルデヒドトリメチルオルトホルメート（１２．７６ｇ、１２０モル）を２．５時間かけて添加した。揮発性物質を蒸発させると、粗生成物（１８．３８ｇ、ＧＣにより純度１００％、収率９９．５％）が得られた。１０ｃｍのビクリューカラムを通して蒸留すると、所望のアセタール（１４．６８ｇ、収率７９．４％、８０．５／１９．５のトランス／シス異性体の混合物として）が得られた。
0006005159.tif 000006
【００３８】
比較例１
・  シス−４−ジエトキシメチル−１，３−ジメチル−１−シクロヘキセン
アンバーリストＡ１５（１．４２ｇ）、無水エタノール（４７．０７ｇ、１．０２モル）及びアルデヒド（１７４．０６ｇ、１．２６モル）を室温で撹拌した。オルトギ酸トリエチル（１６２．７８ｇ、１．１０モル）を１．２５時間かけて滴加した。反応温度は２３℃から４７℃まで上昇した。１時間後、混合物を次に５０℃まで加熱し、新しいオルトギ酸トリエチル（３０．１１ｇ、０．２０モル）を３０分かけて添加した。アンバーリストをろ過し、揮発物を真空下で蒸発させると、粗ジエチルアセタール（２５２．０６ｇ、純度８５．４％）が得られた。１５ｃｍのビクリューカラムを通して分別蒸留すると所望の生成物（１７５．０５ｇ、収率６５．６％、２５．４％トランス及び７４．６％シス異性体の混合物）が得られた。
0006005159.tif 000007
【００３９】
・  トランス−４−ジエトキシメチル−１，３−ジメチル−１−シクロヘキセン
アンバーリストＡ１５（０．２７ｇ）、無水エタノール（４．６７ｇ、１０１ミリモル）、及びアルデヒド（１３．８３ｇ、１２１ミリモル、８１．２％トランス／１８．８％シス異性体の混合物）を、室温で攪拌した。オルトギ酸トリエチル（１７．８７ｇ、１２１ミリモル）を２時間かけて滴加した。アンバーリストをろ過し、揮発物を真空下で蒸発させると、粗ジエチルアセタール（２０．４４ｇ、純度９８．２％）が得られた。１５ｃｍのビクリューカラムを通して分別蒸留すると、所望の生成物（１８．４３ｇ、収率８６．７％、８０．９％トランス／１９．１％シス異性体の混合物）が得られた。
0006005159.tif 000008
【００４０】
実施例２
付香組成物の調製
シトラス／グレープフルーツ調のシャワージェル用の付香組成物を、以下の成分を混合することによって調製した：
【表２】
0006005159.tif 000009
１）４−シクロヘキシル−２−メチル−２−ブタノール；製造元：フィルメニッヒＳＡ、ジュネーブ、スイス
２）１−（２，６，６−トリメチル−１−シクロヘキセン−１−イル）−２−ブテン−１−オン；製造元：フィルメニッヒＳＡ、ジュネーブ、スイス
３）４−（２，２，Ｃ−３，Ｔ−６−テトラメチル−Ｒ−１−シクロヘキシル）−３−ブテン−２−オン；製造元：フィルメニッヒＳＡ、ジュネーブ、スイス
４）メチルジヒドロジャスモネート；製造元：フィルメニッヒＳＡ、ジュネーブ、スイス
【００４１】
８００部のシス−４−ジメトキシメチル−１，３−ジメチル−１−シクロヘキセンを上記の組成物に添加することで、該組成物に著しくジューシーなピンクグレープフルーツのコノテーションが付与され、当初のフレグランスをライム特性からグレープフルーツ特性に変えた。
【００４２】
同量のシス−４−ジエトキシメチル−１，３−ジメチル−１−シクロヘキセンを添加すると、フルーティーな酸っぱいミントノートを特徴とする不快な効果が上記組成物に付与され、これは当初のフレグランスを自然さ／優雅さの不十分な酸っぱいノートに変えた。
【００４３】
実施例３
付香組成物の調製
ウッディ−フローラル調の男性のオードトワレ用の付香組成物を、以下の成分を混合することにより調製した：
【表３】
0006005159.tif 000010
１）（−）−（８Ｒ）−８，１２−エポキシ−１３，１４，１５，１６−テトラノルラブダン；製造元：フィルメニッヒＳＡ、ジュネーブ、スイス
２）４−シクロヘキシル−２−メチル−２−ブタノール；製造元：フィルメニッヒＳＡ、ジュネーブ、スイス
３）ペンタデカノリド；製造元：フィルメニッヒＳＡ、ジュネーブ、スイス
４）テトラヒドロ−２−イソブチル−４−メチル−４（２Ｈ）−ピラノール；製造元：フィルメニッヒＳＡ、ジュネーブ、スイス
５）１−（オクタヒドロ−２，３，８，８−テトラメチル−２−ナフタレニル）−１−エタノン；製造元：フィルメニッヒＳＡ、ジュネーブ、スイス
６）３−（４−ｔｅｒｔ−ブチルフェニル）−２−メチルプロパナール；製造元：ジボダンＳＡ、バーニア、スイス
７）２，４−ジメチル−４，４ａ，９，９ａ−テトラヒドロインデノ［２，１−ｄ］［１，３］ジオキシン；製造元：シムライズ、ドイツ
８）ジヒドロジャスモン酸メチル；製造元：フィルメニッヒＳＡ、ジュネーブ、スイス
９）３’，４−ジメチル−トリシクロ［６．２．１．０（２，７）］ウンデカ−４−エン−９−スピロ−２’−オキシラン；製造元：フィルメニッヒＳＡ、ジュネーブ、スイス
【００４４】
３００質量部のシス−４−ジメトキシメチル−１，３−ジメチル−１−シクロヘキセンを上記組成物に添加すると、上記オードトワレに、グレープフルーツを想起させるはっきりとした非常に素晴らしい、ジューシーな柑橘系のコノテーションが付与された。
【００４５】
同量のシス−４−ジエトキシメチル−１，３−ジメチル−１−シクロヘキセンを添加すると、フルーティーな酸っぱいノートを特徴とするかすかな効果が上記のものに付与され、これは当初のフレグランスを自然さ／優雅さの不十分な香気に変えた。